(57)【特許請求の範囲】
【請求項１】
一対の表紙部を有するファイル本体と、一方の前記表紙部の先端に折りたたみ可能に接合した第1の底面シートと、一端側に折り返し部を有し前記ファイル本体内に収められる、前記ファイル本体とは別体の第２の底面シートとを備え、前記第1の底面シートの表面の先端部には第1の接着部を、前記第2の底面シートの裏面には幅方向に延びる第２の接着部を形成し、前記第2の底面シートの前記折り返し部に前記ファイル本体の他方側の前記表紙部の先端をひっかけ、前記第1の底面シートの前記第1の接着部を前記第２の底面シートの前記第２の接着部の幅方向の適当位置に接着し、前記第1と第２の底面シートによる底面部を有する三角形状の、表面のひとつを台とする譜面台とすることができるように構成したことを特徴とするファイル兼譜面台。
【請求項２】
前記第２の底面シートの折り返し部と、この折り返し部にひっかけた前記ファイル本体の他方側の前記表紙部とで、譜面や教則本の下側をはさみ、この他方側の表紙部の表面を台とする譜面台とすることができるように構成したことを特徴とする請求項1記載のファイル兼譜面台。
【請求項３】
前記第２の底面シートを前記ファイル本体に収めるときに、この第２の底面シートを前記ファイル本体内に保持できるように、一方の前記表紙部に、前記第２の底面シートの前記第２の接着部が接着する保持用接着部を設けたことを特徴とする請求項１又は２記載のファイル兼譜面台。
【発明の詳細な説明】
【技術分野】
【０００１】
本発明は、ファイル本体を譜面台の役目を果すものに構成するものである。
【背景技術】
【０００２】
発明者の知り得る限りでは、従来の譜面台は金属や木製であるため重量や容量の点で
携帯には負担が大きい。近年プラスチック製も出たが携帯条件において従来の物と大差のないものである。特許文献1に示す譜面立も同様である。
【先行技術文献】
【特許文献】
【０００３】
【特許文献１】実開平７−２０８６８号
【発明の概要】
【発明が解決しようとする課題】
【０００４】
携帯の負担となる従来の譜面台の過大な重量や容量、組立てと分解の複雑な仕組み、
譜面台の面の隙間やデコボコによる記入時の障害などが課題であり、本発明はこのような課題を解決するものである。
【課題を解決するための手段】
【０００５】
本発明は、一対の表紙部を有するファイル本体と、一方の表紙部の先端に、折りたたみ可能に接合した第１の底面シートと、一端側に折り返し部を有し、前記ファイル本体内に収められる、ファイル本体とは別体の第２の底面シートとを備え、前記第１の底面シートの表面の先端部には第１の接着部を、前記第２の底面シートの裏面には幅方向に延びる第２の接着部を形成し、前記第２の底面シートの前記折り返し部に前記ファイル本体の他方側の前記表紙部の先端をひっかけ、前記第１の底面シートの前記第１の接着部を前記第２の底面シートの前記第２の接着部の幅方向の適当位置に接着し、前記第１と第２の底面シートによる底面部を有する三角形状の、表面のひとつを台とする譜面台とすることが出来るように構成したものである。例えば、内側に折りたたんで第１の底面シートと一方の表紙部との間に第２の底面シートをはさみ込んで、ファイル本体をとじることにより、持ち運び出来るファイルとして構成できる。
【０００６】
前記第２の底面シートの折り返し部と、この折り返し部に引っ掛けた前記ファイル本体の他方側の前記表紙部とで譜面や教則本の下側をはさみ、前記ファイル本体の他方側の前記表紙部の平らな表面を台とする譜面台とすることができるように構成してもよい。
【０００７】
前記第２の底面シートを前記ファイル本体に収めるときに、この第２の底面シートを前記ファイル本体内に保持できるように、一方の前記表紙部に、前記第２の底面シートの前記第２の接着部が接着する保持用接着部を設けてもよい。
【発明の効果】
【０００８】
本発明のファイル兼譜面台は、重量においては、ファイル本体と同サイズのプラスチックやビニールのシート計2枚分の増加であり、分解収納後の容量もファイル本体と殆ど変らず、組立てや分解も力を要さず極めて簡単であり、ファイル本体の表紙部の平らな表面による譜面台なので記入時の障害も解決である。
【図面の簡単な説明】
【０００９】
【図１】譜面台を構成した場合を示す図である。
【図２】図１の真横から見た図である。
【図３】ファイル本体の一方の表紙部に第１の底面シートが設けられていることを示す図である。
【図４】図３の裏面図である。
【図５】第２の底面シートの表面と裏面を示す図である。
【図６】第１の底面シートを折りたたみ、第２の底面シートをファイル本体内に納め、ファイル本体の一対の表紙部を合わせてファイルを構成しようとした場合を示す図である。
【発明を実施するための形態】
【００１０】
本発明のファイル兼譜面台の実施の形態を、図１から図６までを参照しながら説明する
。
【００１１】
図６に示すように、ファイル兼譜面台1は一対の表紙部２、３を有し、それらを合わせ
るようにたたんで閉じることが出来るファイル本体4と、このファイル本体４の一方の表紙部２の先端に基部が接合（符号１３参照）され、先端部には、ファイル本体４の表面側に、先端縁と平行に第１の接着部としての面ファスナー部（雌）８を有する第１の底面シート５と、一端側に折り返し部６を有し、裏面にはほぼ全幅に延びるように第２の接着部としての面ファスナー部（雄）７を有する別体の分離している第２の底面シート９を備える。第１の底面シート５と第２底面シート９は例えば柔軟なプラスチックシートとすることも、ある程度硬いプラスチック製とすることも可能である。
【００１２】
ファイル本体４の他方側の表紙部３の裏面付け根側には金属製のバネ式留め金具１０が取り付けられていて、ファイル本体４の一方の表紙部２と他方側の表紙部３との付け根の間には襠（まち）１１が設けられている。一方の表紙部２の裏面先端部には第２の底面シート９を保持するために面ファスナー部（雌）１２が設けられている。これは面ファスナー部（雄）７と接着して保持する。
【００１３】
先ず第２の底面シート９の折り返し部６を手前にし面ファスナー部７を上にして敷き、次に第１の底面シート５を表紙部２の内面にたたんで保持しながら表紙部３の表面を手前にして表面部３の先端部を第２の底面シートの折り返し部６にひっかけて一方の表紙部２と他方の表紙部３との開き角度を適当に決め、保持していた第１の底面シート５を第２の底面シート９の上におろし、面ファスナー部８と７を接着すると図１の形となる。
【００１４】
譜面や教則本Aは、第２の底面シート９の折り返し部６と、そこにひっかけて立てた表紙部３とではさみ、表紙部３を譜面台の台とする。
【００１５】
ファイル本体４の一対の表紙部２、３を閉じた形に戻すには、面ファスナー部８、７の接着をはがし、第１の底面シート５を表紙部２の延長方向に展開した状態に置き、ファイル本体４から外した第２の底面シート９を一方の表紙部２とそろえつつ面ファスナー部７を保持用面ファスナー部（保持用接着部）１２に接着し、接着した第２の底面シート９に展開した状態の第１の底面シート５を接合部１３を内側へ折りたたんで表紙部２と重ね、ファイル本体の表紙部２と３を合わせて閉じる。このように構成したファイルでは、バネ式留め金具１０で譜面など挟んでファイル本体４内に収納しておくことができる。
【産業上の利用可能性】
【００１６】
本発明はファイルとして携帯している物が譜面台の働きをするわけなので、常に手軽に当然のように利用されるものと考える。
【符号の説明】
【００１７】
１  ファイル
２  ファイルの一方の表紙部
３  ファイルの他方側の表紙部
４  ファイル本体
５  第１の底面シート
６  第２の底面シートの折り返し部
７  第２の底面シートの面ファスナー部
８  第１の底面シートの面ファスナー部
９  第２の底面シート
１０  バネ式留め金具
１１  襠（まち）
１２  保持用面ファスナー部
１３  接合部
【要約】
【課題】従来の譜面台は金属や木製であるため重量や容量の点で携帯には負担が大きい。
近年プラスチック製も出たが、携帯条件において従来の物と大差がない。
【解決手段】一対の表紙部２、３を有するファイル本体４の一方の表紙部２の先端に、
折りたたみ可能に接合された第１の底面シート５を備え、一端側に折り返し部６を有しファイル本体４内に収められる別体の第２の底面シート９を備える。第１の底面シート５の表面の先端部には第１の接着部を形成し、第２の底面シート９の裏面には幅方向に延びる第２の接着部を形成し、第２の底面シート９の折り返し部６にファイル本体４の他方側の表紙部３の先端をひっかけてから、第１と第２の底面シート５、９の接着部を付け合せ、譜面台を構成する。
【選択図】  図１【図１】
0004730862.tif 000002
【図２】
0004730862.tif 000003
【図３】
0004730862.tif 000004
【図４】
0004730862.tif 000005
【図５】
0004730862.tif 000006
【図６】
0004730862.tif 000007